(57)【特許請求の範囲】
【請求項１】
一対の並列された支持バーの間でコンタクトバーを略平行に支持し、前記コンタクトバー上へのドロッパの落下によって経糸切れを検出し、コンタクトバーの長手方向に列設されたドロッパの列設方向への揺れを防止するドロッパ保持体を備えた経糸切断検出装置において、
前記コンタクトバーを挿入する挿入凹部を形成したプレート部と、
前記プレート部の両側部に形成された前記支持バーに弾性力で嵌合する嵌合部とを備え、
前記嵌合部及び挿入凹部を上方に開口するように合成樹脂で一体形成した織機の経糸切断検出装置におけるドロッパ保持体。
【請求項２】
前記嵌合部の内側面には抜け止め突部が形成されている請求項１に記載の織機の経糸切断検出装置におけるドロッパ保持体。
【請求項３】
前記嵌合部は支持バーの長手方向に延びる嵌合枠である請求項１及び請求項２のいずれか１項に記載の織機の経糸切断検出装置におけるドロッパ保持体。
【請求項４】
前記一対の嵌合部を繋ぐ補強用横断リブが形成されている請求項１乃至請求項３のいずれか１項に記載の織機の経糸切断検出装置におけるドロッパ保持体。
【発明の詳細な説明】
【０００１】
【発明の属する技術分野】
本発明は、一対の並列された支持バーの間でコンタクトバーを略平行に支持し、前記コンタクトバー上へのドロッパの落下によって経糸切れを検出し、コンタクトバーの長手方向に列設されたドロッパの列設方向への揺れを防止するドロッパ保持体を備えた経糸切断検出装置におけるドロッパ保持体に関するものである。
【０００２】
【従来の技術】
経糸によって垂立支持されたドロッパはドロッパの列設方向に倒れるおそれがある。このような倒れが起きるとドロッパがコンタクトバー上に落下したことと同じ結果になり、経糸切断の誤検出が生じる。前記ドロッパ保持体はこのような事態を回避するためのものであり、この種のドロッパ保持体が実開昭５８−７２１８６号公報、実開昭５９−１６０５８０号公報に開示されている。
【０００３】
【発明が解決しようとする課題】
この従来のドロッパ保持体は前記一対の支持バー（略楕円形状のチューブ）に止着されるが、この止着にはボルトの締め付けが必要である。このような締め付け構成ではドロッパ保持体の取り付け作業に手間が掛かる。又、織布の織幅変更が行われる場合にはドロッパ保持体の装着位置を変更しなければならないが、前記した締め付け構成はこの装着位置の変更のための作業時間を増大させる要因となる。作業時間の増大は織機の稼働率の低下をもたらす。
【０００４】
本発明は、ドロッパ保持体の取り付けを簡単に行なえるようにすることを目的とする。
【０００５】
【課題を解決するための手段】
そのために請求項１の発明では、コンタクトバーを挿入する挿入凹部を形成したプレート部とプレート部の両側部に形成された支持バーに弾性力で嵌合する嵌合部とを備えたドロッパ保持体を構成し、前記嵌合部及び挿入凹部を上方に開口するように合成樹脂で一体形成した。
【０００６】
請求項１の発明によれば、前記嵌合部に支持バーが嵌合される。嵌合部は支持バーの下側から上方に向けて嵌め込まれ、この嵌め込み作業は容易である。ドロッパ保持体は嵌合部の弾性力によって支持バーに取りついており、ドロッパ支持体が支持バーから脱落することはない。
【０００７】
請求項２の発明では、前記嵌合部の内側面には抜け止め突部を形成した。
請求項２の発明によれば、抜け止め突部が支持バーからのドロッパ保持体の脱落防止に寄与する。
【０００８】
請求項３の発明では、支持バーの長手方向に延びる嵌合枠で前記嵌合部を形成した。
支持バーの長手方向に延びる嵌合枠は支持バーに安定的に嵌合される。
【０００９】
請求項４の発明では、前記一対の嵌合部を繋ぐ補強用横断リブを形成した。
補強用横断リブはドロッパ保持体全体の強度を高める。
【００１０】
【発明の実施の形態】
以下、本発明を具体化した第１の実施の形態を図１〜図３に基づいて説明する。
【００１１】
図１は経糸切断検出装置１１の全体を示す。略楕円管状の支持バー１２，１３の端部間は支持ブロック１４によって連結されている。支持ブロック１４は一対のブロック片１４１，１４２を締め付け接合して構成されている。一対の支持ブロック１４間には複数本のコンタクトバー１５及び振れ止めパイプ１６が支持バー１２，１３と平行に架設されている。コンタクトバー１５及び振れ止めパイプ１６の端部はブロック片１４１，１４２間に挟み込み支持されている。コンタクトバー１５と振れ止めパイプ１６とは交互に配置されている。
【００１２】
コンタクトバー１５はドロッパ１７の挿通孔１７１に挿通されており、各ドロッパ１７は挿通孔１７１の直下の糸通し孔１７２に通された経糸Ｔによって垂立支持されている。経糸Ｔが切断すると、ドロッパ１７がコンタクトバー１５上に落下して接触し、この接触によってコンタクトバー１５には電気が流れる。この電気流によって経糸切れが検出される。振れ止めパイプ１６は経糸Ｔの糸方向への振れを防止する。
【００１３】
コンタクトバー１５の長手方向に列設された多数枚のドロッパ１７の群と支持ブロック１４との間にはドロッパ保持体１８が配置されている。図２及び図３はドロッパ保持体１８を示す。ドロッパ保持体１８は合成樹脂製である。ドロッパ保持体１８のプレート部１８０には２種類の挿入凹部１８１，１８２が上方へ開口するように形成されている。挿入凹部１８１にはコンタクトバー１５が挿通され、挿入凹部１８２には振れ止めパイプ１６が挿通される。プレート部１８０はドロッパ１７の群の端に対置し、端のドロッパ１７の倒れがプレート１８０によって阻止される。
【００１４】
プレート部１８０の両側部には嵌合枠１８３が形成されている。嵌合枠１８３はプレート部１８０の一側面側に突出している。嵌合枠１８３は上方に開口しており、嵌合枠１８３には支持バー１２，１３が嵌合される。嵌合枠１８３の周囲には複数の補強リブ１８４が形成されている。嵌合枠１８３の内側面には抜け止め突部１８５，１８６が形成されている。
【００１５】
嵌合枠１８３及び挿入凹部１８１，１８２はいずれも上方に開口しており、支持バー１２，１３に対する装着は、支持バー１２，１３の下側から上方に向けて嵌合枠１８３を支持バー１２，１３に嵌め合わせることによって行われる。自然状態における抜け止め突部１８５，１８６間の間隔は支持バー１２，１３の水平方向の幅よりも僅かに小さくしてある。支持バー１２，１３が嵌合枠１８３に嵌め込まれた状態では嵌合枠１８３が弾性変形して拡開する。この拡開状態における弾性復元力によってドロッパ保持体１８が支持バー１２，１３に止着される。支持バー１２，１３に対するドロッパ保持体１８の装着は支持バー１２，１３の下側から上方に向けて嵌合枠１８３を支持バー１２，１３に嵌め合わせるだけでよく、この作業は容易である。
【００１６】
嵌合枠１８３の周囲の補強リブ１８４は嵌合枠１８３の弾性変形による破損の防止の上で有効である。
なお、挿入凹部１８１，１８２の深さは、コンタクトバー１５及び振れ止めパイプ１６と挿入凹部１８１，１８２とが係合するようになっていなくとも良い。
【００１７】
次に、図４の第２の実施の形態を説明する。第１の実施の形態と同じ構成部には同じ符号が付してある。この実施の形態では、嵌合枠１８７がプレート部１８０の両側面側に突出している。プレート部１８０の両側面側へ嵌合枠１８７を延ばして嵌合枠１８７の幅を増やせば、支持バー１２，１３に対するドロッパ保持体１８の装着の安定性が増す。又、プレート部１８０の両側面側を対称形状にすれば、支持バー１２，１３に対するドロッパ保持体１８の装着向きの任意性が得られ、装着向きの適否に気を付ける必要がなくなる。
【００１８】
次に、図５の第３の実施の形態を説明する。第１の実施の形態と同じ構成部には同じ符号が付してある。この実施の形態では、一対の嵌合枠１８３が補強用横断リブ１８８によって繋げられている。補強用横断リブ１８８はドロッパ保持体１８全体の強度向上に寄与する。
【００１９】
次に、図６の第４の実施の形態を説明する。第１の実施の形態と同じ構成部には同じ符号が付してある。この実施の形態では、支持バー１２，１３に掛け止め凹条１２１，１３１が形成されている。掛け止め凹条１２１，１３１は支持バー１２，１３の長手方向に沿って形成されている。掛け止め凹条１２１，１３１には抜け止め突部１８５，１８６が掛け止められる。この掛け止め構成は支持バー１２，１３からのドロッパ保持体１８の脱落を確実に防止する。
【００２０】
次に、図７の第５の実施の形態を説明する。第１の実施の形態と同じ構成部には同じ符号が付してある。この実施の形態では、嵌合枠１８３の先端部には内側に突出する湾曲突部１８９が形成されている。湾曲突部１８９は支持バー１２，１３の上部側に引っ掛かる形となり、この掛け止め構成は支持バー１２，１３からのドロッパ保持体１８の脱落を確実に防止する。
【００２１】
前記した実施の形態から把握される請求項記載以外の発明について以下にその効果と共に記載する。
（１）一対の並列された支持バーの間でコンタクトバーを略平行に支持し、前記コンタクトバー上へのドロッパの落下によって経糸切れを検出し、コンタクトバーの長手方向に列設されたドロッパの列設方向への揺れを防止するドロッパ保持体を備えた経糸切断検出装置において、前記支持バーに弾性力で嵌合する嵌合部と、前記コンタクトバーを挿入する挿入凹部とを備えたドロッパ保持体を形成し、前記嵌合部の開口部側の側壁面には抜け止め突部を形成し、支持バーには掛け止め凹条を形成し、前記掛け止め凹条に掛け止め突部を掛け止めた織機における経糸切断検出装置。
【００２２】
支持バーからのドロッパ保持体の脱落を確実に防止する。
【００２３】
【発明の効果】
以上詳述したように本発明では、ドロッパ保持体に嵌合部及び挿入凹部を上方に開口するように形成したので、支持バーに対するドロッパ保持体の取り付けを簡単に行なうことができる。
【図面の簡単な説明】
【図１】第１の実施の形態を示す経糸切断検出装置全体の斜視図。
【図２】要部斜視図。
【図３】要部正面図。
【図４】第２の実施の形態を示す要部斜視図。
【図５】第３の実施の形態を示す要部斜視図。
【図６】第４の実施の形態を示す正面図。
【図７】第５の実施の形態を示す正面図。
【符号の説明】
１２，１３…支持バー、１５…コンタクトバー、１７…ドロッパ、１８…ドロッパ保持体、１８１…挿入凹部、１８３…嵌合枠、１８５，１８６…抜け止め突部、１８７…嵌合枠、１８８…補強用横断リブ、１８９…抜け止め突部となる湾曲突部。
【図１】
0003564806.tif 000002
【図２】
0003564806.tif 000003
【図３】
0003564806.tif 000004
【図４】
0003564806.tif 000005
【図５】
0003564806.tif 000006
【図６】
0003564806.tif 000007
【図７】
0003564806.tif 000008